(57)【要約】【課題】貸球の払い出しが常に必要最小限に抑えられ遊技者にとって無駄なく有利にパチンコ遊技をできるようにする。【解決手段】球皿３に払い出された払出球数の累積と発射球数の累積とから該球皿上にあるべき推定残球数を演算し、その推定残球数が所定数を超したときに貸球の払出が留保され、さらにその残球数が十二分となったときに貸球の払出要求がキャンセルされるようにした。【選択図】図２
2004283629.tif 000002
【特許請求の範囲】
【請求項１】
球皿に払い出された払出球数の累積と発射球数の累積とから該球皿上にあるべき推定残球数を演算し、その推定残球数が所定数を超したときに貸球の払出が留保されるようにしたことを特徴とするパチンコ遊技機の払出制御装置。
【請求項２】
球皿に払い出された払出球数の累積と発射球数の累積とから該球皿上にあるべき推定残球数を演算し、その推定残球数が十二分となったときに貸球の払出要求がキャンセルされるようにしたことを特徴とするパチンコ遊技機の払出制御装置。
【請求項３】
球皿に払い出される払出球数は、貸球と賞球の和として検知されるものである請求項１または２に記載のパチンコ遊技機の払出制御装置。
【請求項４】
発射球数は球発射装置の打球槌の作動回数により検知するものである請求項１〜３のいずれかに記載のパチンコ遊技機の払出制御装置。
【請求項５】
発射球数は球発射装置の球送り部材の作動回数により検知するものである請求項１〜３のいずれかに記載のパチンコ遊技機の払出制御装置。
【請求項６】
大当たり中であるときに貸球の払出が留保されるようにしたことを特徴とする請求項１〜５のいずれかに記載のパチンコ遊技機の払出制御装置。
【請求項７】
球貸機に新たにカードまたは金銭が投入されることによって払出球数の累積と発射球数の累積と推定残球数とが初期値に更新されるようにした請求項１〜６のいずれかに記載のパチンコ遊技機の払出制御装置。
【発明の詳細な説明】
【技術分野】
【０００１】
本発明はパチンコ遊技機において貸球の無用な払出が抑えられるようにする払出制御装置に関するものである。
【背景技術】
【０００２】
遊技場に設けられるパチンコ遊技機には一般に一台ごとに球貸機が設けられ、カード或いは現金を差し入れてボタン操作をすることにより、そのパチンコ遊技機の前面球皿上に貸球が払い出されるように構成されている。
【０００３】
ところで、特許第２６５７９４６号の特許公報に示された遊技機では、貸球払出動作中に賞球払出要求があっても貸球の払出が完了するまでは賞球を払い出さないように構成され、特許第２５５９２２１号では、遊技者の自由意志を優先させ、賞球払出未完状態においても貸球払出要求を優先させるものが開示され、特許第２９９５４２６号，特開平５−３９５９，特開平８−３８７２３等では、貸球を優先的に払い出すものが開示されている。しかしいずれにしてもこれらの刊行物に示された遊技機は、賞球の要求と貸球の要求が生じた場合に、遊技者に不信感を与えないようにするため貸球の払い出しを優先させるものであった。このため、賞球払出要求が連続的にあったとしても貸球払出要求が優先し、その結果、貸球が無用に払い出されるおそれがあった。
【０００４】
また、特許第３０１９９５８号では、操作手段の１回の操作によって導出される排出指令信号の数を設定する設定器を備え、該設定器で設定された排出指令信号の数に相当する貸球を賞品球排出装置によって排出するようにし、貸球数を例えば１００円分，２００円分，３００円分，５００円分等の設定が自由にできるようにするものである。しかし、１００円の設定では短時間ですぐにまた１００円分の貸球要求をしなければならなくなることが多く、面倒であるので遊技に集中できない欠点があり、またその反対に、５００円に設定して遊技すると、１００円分程度打球を発射させただけですぐに賞球が多数得られたような場合には遊技者にとって結果として４００円分程度を無用に使ったこととなり、損したような印象を持たれる欠点があった。
【０００５】
また、特許第２６３９８４８号，特公平６−１１３５２等は、球皿に球検知センサを設け、該球皿の残球数が所定個数以下となった場合に自動的に貸球が補給されるようにしたものであり、特開平８−１７３６２５は、さらにその自動球貸を賞球状態に応じて選択的に実行する球貸選択実行手段を設けたものである。しかしこれらでは球皿に球検知センサを設ける必要があるので、皿内で球詰まりが起きたとき等に誤作動するおそれがあった。
【特許文献１】特許第２６５７９４６号公報
【特許文献２】特許第２５５９２２１号公報
【特許文献３】特許第２９９５４２６号公報
【特許文献４】特開平５−３９５９号公報
【特許文献５】特開平８−３８７２３号公報
【特許文献６】特許第３０１９９５８号公報
【特許文献７】特許第２６３９８４８号公報
【特許文献８】特公平６−１１３５２号公報
【特許文献９】特開平８−１７３６２５号公報
【発明の開示】
【発明が解決しようとする課題】
【０００６】
本発明は、上記の問題点に鑑みてなされたもので、その目的とするところは、簡単な構成で貸球が無用に払い出されないようにすることができる払出制御装置を提供するものである。
【課題を解決するための手段】
【０００７】
そのために本発明のパチンコ遊技機の払出制御装置は、球皿に払い出された払出球数の累積と発射球数の累積とから該球皿上にあるべき推定残球数を演算し、その推定残球数が所定数を超したときに貸球の払出が留保されるようにしたことを特徴とする。
また本発明のパチンコ遊技機の払出制御装置は、球皿に払い出された払出球数の累積と発射球数の累積とから該球皿上にあるべき推定残球数を演算し、その推定残球数が十二分となったときに貸球の払出要求がキャンセルされるようにしたことを特徴とする。
また本発明は、上記払出制御装置において、球皿に払い出される払出球数は、貸球と賞球の和として検知されるものであることを特徴とする。
また本発明は、上記払出制御装置において、発射球数は球発射装置の打球槌の作動回数により検知するものであることを特徴とする。
また本発明は、上記払出制御装置において、発射球数は球発射装置の球送り部材の作動回数により検知するものであることを特徴とする。
また本発明は、上記払出制御装置において、大当たり中であるときに貸球の払出が留保されるようにしたことを特徴とする。
また本発明は、上記払出制御装置において、球貸機に新たにカードまたは金銭が投入されることによって払出球数の累積と発射球数の累積と推定残球数とが初期値に更新されるようにしたことを特徴とする。
【発明の効果】
【０００８】
本発明の払出制御装置では、貸球の払い出しが常に必要最小限に抑えられ、遊技者にとって無駄なく有利にパチンコ遊技をできるようにする顕著な効果がある。
【発明を実施するための最良の形態】
【０００９】
次に図面に従い発明の実施形態を説明する。図１は本発明に係るパチンコ遊技機１とその隣りに設けられた球貸機２の正面図である。同図に示すように、パチンコ遊技機１の前面には、内部の払出装置が作動することによって賞球および貸球が払い出される上部球皿３と、下部球皿４、および、複数の入賞口，図柄変動表示器５等が設けられた遊技盤６が設けられ、遊技者が打球発射用ハンドル７を操作することによって該球皿３上にあるパチンコ球が発射される。また、球貸機２にはカード，金銭等の投入口８が設けられている。なお、９は球皿３の外側面に設けられた貸球要求ボタン、１０はキャンセルボタン、１１は投入状況表示ディスプレイである。
【００１０】
図２は本発明に係る払出制御装置のブロック図である。この払出制御装置はＣＰＵ，ＲＡＭ，ＲＯＭからなり、同図に示すように、前記打球発射用ハンドル７が操作され球発射装置の打球槌の作動して打球が発射されたときにその発射検知信号を受信するとともに、遊技盤６上の入賞口に遊技球が入賞した場合にその入賞検知部から賞球払出要求信号を受信し、遊技基板からは大当たり中である際に発信される大当たり中信号を受信し、球貸機２からは貸球払出要求信号を受信する。そして払出装置に払出指令信号を出力する。
【００１１】
次に図３〜図９のフローチャートに従いこの払出制御装置の作動を説明する。図３に示したようにこのプログラムは、遊技監視ルーチンと要求信号監視ルーチンと皿状況推定ルーチンと賞球払出ルーチンと貸球払出ルーチンと貸球キャンセルルーチンからなる。遊技監視ルーチンは、このパチンコ遊技機を遊技者が使っているかどうか、および新たな遊技者であるかを検知するもので、図４に示したように、ステップ１にて球発射信号の受信の有無が監視され、ステップ２にて球発射信号が１０分間以上受信されなかったとき、および、ステップ３にて球貸機２に新たにカードまたは金銭が投入されたことが検知されると、ステップ４に移行し後述する変数Ｒ，Ｔ，Ｚをゼロ設定（初期値に更新）しリターンする。
【００１２】
また、要求信号監視ルーチンは、図５に示したように、ステップ５にて球貸機２からの貸球払出要求信号を受信するとステップ６に移行し貸球払出要求単位Ｋを更新するもので、球貸機２に例えばカードが挿入され貸球要求ボタン９を押すことで５００円分の貸球払出要求がなされると「Ｋ＝５」と記憶する。また、ステップ７にて入賞検知部から賞球払出要求信号を受信するとステップ８に移行し賞球払出要求数Ｓが更新され、例えば賞球を１５個払出すべきとする賞球払出要求信号を受信すると「Ｓ＝１５」と記憶される。
【００１３】
また、皿状況推定ルーチンは、払出装置が作動することによって払い出された賞球数および貸球数と、打球発射用ハンドル７を操作することによって発射された発射球数から球皿３若しくは球皿４上に残っているパチンコ球の数を推定するもので、この遊技者が１０分以上のインターバルを挟むことなく遊技を始めてから払い出された賞球および貸球の累積払出球数Ｒをステップ１０にて読み込み、ステップ１１にて累積発射球数Ｔを読み込み、推定残存数Ｚをその累積払出球数Ｒと累積発射球数Ｔとの差として求めるものである。
【００１４】
また賞球払出ルーチンは、図７に示したように、ステップ１５にて前記賞球払出要求数Ｓがあると判別された場合にステップ１６にて払出装置に払出指令信号を出力しその払出指令にともなって賞球払出要求数Ｓをステップ１７にてマイナス１する。
【００１５】
また貸球払出ルーチンは、図８に示したように、ステップ２０にて貸球払出要求単位Ｋがあると判別され、ステップ２１にて賞球払出要求数Ｓがないと判別され、ステップ２２にて推定残存数Ｚが２０以上でないと判別され、さらにステップ２３にて大当たり中でないと判別されたときに、ステップ２４にて払出装置に貸球払出要求単位である貸球２５個を払い出す払出指令信号を出力し、ステップ２５にてその払出指令にともなって貸球払出要求単位Ｋをマイナス１するものである。
【００１６】
また、貸球キャンセルルーチンは、図９に示したように、ステップ３０にて推定残存数Ｚが１５０以上であった場合に球皿３若しくは球皿４上に十二分の残球があると認められることから未払出の貸球払出要求をキャンセル処理、即ち、貸球払出要求単位Ｋをステップ３１にてゼロに設定するとともに、ステップ３２にて貸球払出要求がキャンセルされたことを遊技者にディスプレイや音声等を通してインフォーメーションするものである。
【００１７】
このためこの払出制御装置によれば、貸球払出よりも賞球払出が優先し、しかも球皿上にあるべき残球数が演算され、その残球数が所定数を超したときに貸球の払出が留保され、さらにその残球数が十二分となったときに貸球の払出要求がキャンセルされることから、無用な貸球の払出が一切抑えられる。また、大当たりが発生したときも貸球の払出が留保されることから、常に必要最小限の貸球によって遊技者にとって有利な遊技を楽しむことができるようになる。しかも、球皿に球検知センサを設けなくてもよいので構成が簡単であり、既存の制御装置のプログラムを変更するだけで容易に実施できる利点がある。
【００１８】
なお、賞球を払い出すための払出装置と貸球を払い出すための払出装置とは夫々別に設けられていても一つの装置を共用してもよい。
また、賞球の払出球数の累積は、上記実施形態のように入賞検知により更新されるようにしても、払出装置のソレノイド，モータ等の払出作動、或いは払出球検知センサの作動により更新されるようにしてもよい。
また、発射球数は球発射装置の打球槌の作動回数により検知するに限らず、球発射装置の球送り部材を作動させるソレノイド等の作動回数により検知してもよい。
【００１９】
なお、この実施形態では、ステップ２における球発射のない時間を１０分間とする設定、ステップ２２における貸球を払い出すこととする推定残存数Ｚを２０個とする設定、ステップ３０における貸球払出要求をキャンセルする推定残存数Ｚを１５０個とする設定としたが、これらはいずれも適宜数値に設定変更できるものであることは言うまでもなく、また使用現場にて店員、或いは遊技者によって自在に設定できるものとしてもよい。さらにはこの払出制御自体を行うかどうかについても、店員、或いは遊技者等によって自在に設定できるようにしてもよい。またその場合これらの設定変更のための操作部は、貸球要求ボタン９，キャンセルボタン１０，投入状況表示ディスプレイ１１の近傍に設けてもおくのが望ましいが、球皿３の外側面に限らず、球皿３に設けられた球抜きボタンの近くやガラス枠の下方等、遊技者が操作し易い場所に設けられる。
【図面の簡単な説明】
【００２０】
【図１】本発明の実施形態を示すパチンコ遊技機と球貸機の正面図。
【図２】本発明の実施形態を示すパチンコ遊技機の払出制御装置のブロック図。
【図３】本発明の実施形態を示す払出制御装置のフローチャート。
【図４】本発明の実施形態を示す払出制御装置のフローチャート。
【図５】本発明の実施形態を示す払出制御装置のフローチャート。
【図６】本発明の実施形態を示す払出制御装置のフローチャート。
【図７】本発明の実施形態を示す払出制御装置のフローチャート。
【図８】本発明の実施形態を示す払出制御装置のフローチャート。
【図９】本発明の実施形態を示す払出制御装置のフローチャート。
【符号の説明】
【００２１】
１      パチンコ遊技機
２      球貸機
３      球皿
７      打球発射用ハンドル
９      貸球要求ボタン
【図１】
2004283629.tif 000003
【図２】
2004283629.tif 000004
【図３】
2004283629.tif 000005
【図４】
2004283629.tif 000006
【図５】
2004283629.tif 000007
【図６】
2004283629.tif 000008
【図７】
2004283629.tif 000009
【図８】
2004283629.tif 000010
【図９】
2004283629.tif 000011